(57)【要約】【課題】プロジェクタが投影する画像の明るさを向上させながら白色以外の色がくすんで見えることを抑制できる光投射方法、及びプロジェクタを提供する。【解決手段】３色の色フィルタ及び白色フィルタからなるカラーホイールを備え、回転するカラーホイールに光源からの白色光を通過させて生成した複数色の光を投射するプロジェクタは、白色フィルタとフィルタ間の境目とを光源からの白色光が通過する時点と同期的に、光源へ供給する電流にパルス電流を重畳し、フィルタの境目を通過した光を投射する。白色光が増大するのでプロジェクタが投影する画像の明るさが向上し、更に、フィルタ間の境目を光源からの白色光が通過することによって赤緑青及び白色が混色した光の光量が増大するので、白色と他の色との間の光量差に起因して画像に含まれる白色以外の色がくすんで見えることが抑制される。【選択図】図３
2007189650.tif 000002
【特許請求の範囲】
【請求項１】
供給された電流の大きさに応じた光量で白色光を発光する光源と、互いに異なった色の光を透過させる複数の色フィルタを回転軸周りに配してなるカラーホイールと、回転する前記カラーホイールに含まれる各色フィルタを前記光源からの白色光が順次通過することによって生成される複数の色の光を順次投射する手段とを備えるプロジェクタでの光投射方法において、
前記カラーホイールに含まれる複数の色フィルタ間の境目を前記光源からの白色光が通過する時点と同期的に、前記光源に供給される電流にパルス電流を重畳し、
前記境目を通過した後の光を投射すること
を特徴とする光投射方法。
【請求項２】
供給された電流の大きさに応じた光量で白色光を発光する光源と、互いに異なった色の光を透過させる複数の色フィルタ及び白色光を透過させる白色フィルタを回転軸周りに配してなるカラーホイールと、回転する前記カラーホイールに含まれる各色フィルタ及び前記白色フィルタを前記光源からの白色光が順次通過することによって生成される複数の色の光を順次投射する手段と、前記白色フィルタを前記光源からの白色光が通過する時点と同期的に、前記光源に供給される電流にパルス電流を重畳する手段とを備えるプロジェクタでの光投射方法において、
前記カラーホイールに含まれる複数の色フィルタ及び前記白色フィルタの間の境目を前記光源からの白色光が通過する時点と同期的に、前記光源に供給される電流にパルス電流を重畳し、
前記境目を通過した後の光を投射すること
を特徴とする光投射方法。
【請求項３】
供給された電流の大きさに応じた光量で白色光を発光する光源と、互いに異なった色の光を透過させる複数の色フィルタを回転軸周りに配してなるカラーホイールと、回転する前記カラーホイールに含まれる各色フィルタを前記光源からの白色光が順次通過することによって生成される複数の色の光を順次投射する手段とを備えるプロジェクタにおいて、
前記カラーホイールに含まれる複数の色フィルタ間の境目を前記光源からの白色光が通過する時点と同期的に、前記光源に供給される電流にパルス電流を重畳する手段と、
前記境目を通過した後の光を投射する手段と
を備えることを特徴とするプロジェクタ。
【請求項４】
供給された電流の大きさに応じた光量で白色光を発光する光源と、互いに異なった色の光を透過させる複数の色フィルタ及び白色光を透過させる白色フィルタを回転軸周りに配してなるカラーホイールと、回転する前記カラーホイールに含まれる各色フィルタ及び前記白色フィルタを前記光源からの白色光が順次通過することによって生成される複数の色の光を順次投射する手段と、前記白色フィルタを前記光源からの白色光が通過する時点と同期的に、前記光源に供給される電流にパルス電流を重畳する手段とを備えるプロジェクタにおいて、
前記カラーホイールに含まれる複数の色フィルタ及び前記白色フィルタの間の境目を前記光源からの白色光が通過する時点と同期的に、前記光源に供給される電流にパルス電流を重畳する手段と、
前記境目を通過した後の光を投射する手段と
を備えることを特徴とするプロジェクタ。
【請求項５】
前記複数の色フィルタは、夫々に赤、緑及び青の光を透過させる色フィルタであることを特徴とする請求項３又は４に記載のプロジェクタ。
【発明の詳細な説明】
【技術分野】
【０００１】
本発明は、光源が発光する白色光からカラーホイールを用いて複数色の光を時分割で生成し、生成した光を投射することにより画像を投影するプロジェクタに関し、より詳しくは、投射する光の量を増大させて画像の明るさの向上を図る光投射方法及びプロジェクタに関する。
【背景技術】
【０００２】
プレゼンテーション又は映像の映写の分野では、外部へ光を投射することによって外部のスクリーン又は壁等に画像を投影するプロジェクタが用いられている。このようなプロジェクタは、液晶パネル又はＤＭＤ（Digital Micromirror Device）等の画像デバイス上に画像データに基づいた画像を形成し、画像デバイスで反射又は画像デバイスを透過した光を外部へ投射することにより、色又は強度が空間的に変調された光の像でなる画像を投影する構成となっている。またプロジェクタには、外部のスクリーン又は壁等に対して前面から画像を投影するフロントプロジェクション型のプロジェクタとは別に、画像投影用のスクリーンを備え、スクリーンの背面から画像を投影するリアプロジェクション型のプロジェクタも利用されている。このようなプロジェクタがカラー画像を投影する方式には、赤緑青の３色の画像を時分割で順に投影することによってカラー画像を投影する方式がある。
【０００３】
時分割でカラー画像を投影するプロジェクタは、赤緑青の夫々の光を透過させる３色のフィルタで回転軸回りに分割された円盤状のカラーホイールを備え、回転するカラーホイールに光源からの光を通過させることにより、３色の光を時分割で生成する。またプロジェクタは、カラーホイールを通過した光を画像デバイスへ照射することにより、３色の光を時分割で画像デバイスへ照射し、画像デバイスで反射した光又は画像デバイスを透過した光を投射する。画像デバイスはカラーホイールの回転に同期して各色用の画像を形成し、各色の画像が時分割で投影される。プロジェクタが投影する画像を目視した利用者は、時分割で投影された３色の画像を合わせてカラー画像であると認識する。なお、光源からの白色光がカラーホイール中の各フィルタの境目を通過している期間には２色が混色した光が生成されて単色の画像を投影することができないので、通常、プロジェクタは各フィルタの境目を通過した光を投射しないようにしている。
【０００４】
プロジェクタが備えるカラーホイールとしては、３色のフィルタに加えて、白色光を透過させる白色フィルタを有するカラーホイール等、様々な構成のカラーホイールが利用されている。白色フィルタを有するカラーホイールを用いたプロジェクタでは、３色の光に加えて白色光が時分割で投射されるので、投影する画像の明るさが向上する。白色を含む４色のフィルタからなるカラーホイールを用いるプロジェクタで投影する画像の明るさを更に向上させるために、光源へ供給する電流にパルス電流を重畳する技術が知られている。この技術の例は特許文献１に開示されている。光源へ供給する電流にパルス電流を重畳することにより、光源に供給される電流が一時的に増大し、光源が発光する光量が増大する。光源からの白色光がカラーホイールの白色フィルタを通過する時点に同期してパルス電流を重畳することにより、プロジェクタが投射する白色光の光量が増大し、投影する画像の明るさが効果的に向上する。
【特許文献１】特開２００４−２１２８９０号公報
【発明の開示】
【発明が解決しようとする課題】
【０００５】
しかしながら、プロジェクタが投射する白色光の光量を増大させて画像の明るさを向上させる場合は、白色と他の色との間に光量差が発生するので、画像の明るさが向上する反面、画像の中で白色以外の色がくすんで見えるという問題がある。特に、黄色、マゼンタ及びシアンの色がくすんで見えるという問題がある。
【０００６】
本発明は、斯かる事情に鑑みてなされたものであって、その目的とするところは、カラーホイールが含む各色フィルタの境目を通過した光を投射することにより、プロジェクタが投影する画像の明るさを向上させながら白色以外の色を鮮やかにすることができる光投射方法、及びプロジェクタを提供することにある。
【０００７】
また本発明の他の目的とするところは、白色のフィルタを含むカラーホイール中の各フィルタの境目を通過した光を増大して投射することにより、プロジェクタが投影する画像の明るさを向上させながら白色以外の色がくすんで見えることを抑制することができる光投射方法、及びプロジェクタを提供することにある。
【課題を解決するための手段】
【０００８】
本発明に係る光投射方法は、供給された電流の大きさに応じた光量で白色光を発光する光源と、互いに異なった色の光を透過させる複数の色フィルタを回転軸周りに配してなるカラーホイールと、回転する前記カラーホイールに含まれる各色フィルタを前記光源からの白色光が順次通過することによって生成される複数の色の光を順次投射する手段とを備えるプロジェクタでの光投射方法において、前記カラーホイールに含まれる複数の色フィルタ間の境目を前記光源からの白色光が通過する時点と同期的に、前記光源に供給される電流にパルス電流を重畳し、前記境目を通過した後の光を投射することを特徴とする。
【０００９】
本発明に係る光投射方法は、供給された電流の大きさに応じた光量で白色光を発光する光源と、互いに異なった色の光を透過させる複数の色フィルタ及び白色光を透過させる白色フィルタを回転軸周りに配してなるカラーホイールと、回転する前記カラーホイールに含まれる各色フィルタ及び前記白色フィルタを前記光源からの白色光が順次通過することによって生成される複数の色の光を順次投射する手段と、前記白色フィルタを前記光源からの白色光が通過する時点と同期的に、前記光源に供給される電流にパルス電流を重畳する手段とを備えるプロジェクタでの光投射方法において、前記カラーホイールに含まれる複数の色フィルタ及び前記白色フィルタの間の境目を前記光源からの白色光が通過する時点と同期的に、前記光源に供給される電流にパルス電流を重畳し、前記境目を通過した後の光を投射することを特徴とする。
【００１０】
本発明に係るプロジェクタは、供給された電流の大きさに応じた光量で白色光を発光する光源と、互いに異なった色の光を透過させる複数の色フィルタを回転軸周りに配してなるカラーホイールと、回転する前記カラーホイールに含まれる各色フィルタを前記光源からの白色光が順次通過することによって生成される複数の色の光を順次投射する手段とを備えるプロジェクタにおいて、前記カラーホイールに含まれる複数の色フィルタ間の境目を前記光源からの白色光が通過する時点と同期的に、前記光源に供給される電流にパルス電流を重畳する手段と、前記境目を通過した後の光を投射する手段とを備えることを特徴とする。
【００１１】
本発明に係るプロジェクタは、供給された電流の大きさに応じた光量で白色光を発光する光源と、互いに異なった色の光を透過させる複数の色フィルタ及び白色光を透過させる白色フィルタを回転軸周りに配してなるカラーホイールと、回転する前記カラーホイールに含まれる各色フィルタ及び前記白色フィルタを前記光源からの白色光が順次通過することによって生成される複数の色の光を順次投射する手段と、前記白色フィルタを前記光源からの白色光が通過する時点と同期的に、前記光源に供給される電流にパルス電流を重畳する手段とを備えるプロジェクタにおいて、前記カラーホイールに含まれる複数の色フィルタ及び前記白色フィルタの間の境目を前記光源からの白色光が通過する時点と同期的に、前記光源に供給される電流にパルス電流を重畳する手段と、前記境目を通過した後の光を投射する手段とを備えることを特徴とする。
【００１２】
本発明に係るプロジェクタは、前記複数の色フィルタは、夫々に赤、緑及び青の光を透過させる色フィルタであることを特徴とする。
【００１３】
本発明においては、複数の色フィルタからなるカラーホイールを備え、回転するカラーホイールに光源からの白色光を通過させて順次生成した複数色の光を投射するプロジェクタは、複数の色フィルタ間の境目を光源からの白色光が通過する時点と同期的に、光源へ供給する電流にパルス電流を重畳し、フィルタの境目を通過した光を投射する。パルス電流の重畳によって光源に供給される電流が増大して光源の発光量が増大するので、色フィルタ間の境目を白色光が通過することによって各色フィルタを透過可能な色が混色した光の光量が増大し、これらの光を投射することにより、プロジェクタは、各色フィルタを透過可能な色が混色した光が増大した画像を投影する。
【００１４】
本発明においては、複数の色フィルタ及び白色フィルタからなるカラーホイールを備え、回転するカラーホイールに光源からの白色光を通過させて順次生成した複数色の光を投射するプロジェクタは、白色フィルタを光源からの白色光が通過する時点と同期的に、光源へ供給する電流にパルス電流を重畳して白色光を投射し、更に、複数のフィルタ間の境目を光源からの白色光が通過する時点と同期的に、光源へ供給する電流にパルス電流を重畳し、フィルタの境目を通過した光を投射する。パルス電流の重畳によって光源に供給される電流が増大して光源の発光量が増大するので、フィルタ間の境目を白色光が通過することによって各フィルタを透過可能な色が混色した光の光量、及び白色光の光量が増大する。これらの光を投射することにより、プロジェクタは、各フィルタを透過可能な色が混色した光及び白色光が増大した画像を投影する。
【００１５】
更に本発明においては、プロジェクタが備えるカラーホイールは、赤緑青の３色の色フィルタを含んでなり、プロジェクタは、赤緑青の３色が互いに混色した光が増大した画像を投影する。
【発明の効果】
【００１６】
本発明にあっては、プロジェクタが投影する画像に含まれる光量が増大するので、画像の明るさが向上する。またカラーホイールに含まれる各色フィルタを透過できる光の色が混色した光が増大するので、プロジェクタは、各色が混色した色をより鮮やかにした画像を投影することが可能となる。
【００１７】
本発明にあっては、プロジェクタが投影する画像に含まれる白色光が増大し、更に、各色フィルタを透過できる光の色及び白色が混色した光が画像に含まれるようになる。画像に含まれる光量が増大することによって画像の明るさが向上し、更に、白色光と共に他の色の光も増大するので、白色と他の色との間の光量差に起因して画像に含まれる白色以外の色がくすんで見えることが抑制される。
【００１８】
更に本発明にあっては、プロジェクタは、赤緑青の３色が互いに混色した光が増大した画像を投影するので、赤緑青の３色が互いに混色した色である黄色、マゼンタ及びシアンの色をより鮮やかにした画像を投影することが可能となる等、本発明は優れた効果を奏する。
【発明を実施するための最良の形態】
【００１９】
以下本発明をその実施の形態を示す図面に基づき具体的に説明する。
図１は、本発明のプロジェクタ１の内部構成を示すブロック図である。図中の白矢印は光を示す。プロジェクタ１は、メタルハライドランプ又は超高圧水銀ランプ等の白色光を発光する放電ランプを用いた光源２１と、光源２１からの光を通過させるカラーホイール２２と、ＤＭＤ２４と、カラーホイール２２を通過した光をＤＭＤ２４へ照射する照射光学系２３と、ＤＭＤ２４で反射した光を外部へ投射する投射光学系２５とを備えている。光源２１は、直流電流を供給されることによって発光し、供給された直流電流の大きさに応じた光量で発光する構成となっている。
【００２０】
カラーホイール２２は、円盤の中心軸周りに夫々に固有の色の光を透過させる複数のフィルタを配して構成されており、中心軸にモータが直結され、例えば６０Ｈｚの回転速度で、中心軸を回転軸としてモータによって回転する構成となっている。カラーホイール２２は、赤緑青の夫々の光を透過させる３色の色フィルタ及び白色光を透過させる白色フィルタの４種類のフィルタを回転軸周りに配してなる。プロジェクタ１が回転するカラーホイール２２へ光源２１からの白色光を照射することによって、カラーホイール２２に含まれる各フィルタを白色光が順に通過し、赤緑青及び白色の複数色の光が各フィルタの配置に応じた順に生成される。
【００２１】
照射光学系２３は、各種のミラー、ロッドインテグレータ及びコンデンサレンズ等の光学素子からなり、カラーホイール２２を通過した光の強度分布を均質化し、均質化した光を集光してＤＭＤ２４へ照射する構成となっている。ＤＭＤ２４は、夫々が画像中の画素に対応する多数の微小ミラーを２次元的に配置してなる。ＤＭＤ２４は、発光する画素に対応する微小ミラーが投射光学系２５の方向へ光を反射し、また非発光の画素に対応する微小ミラーが投射光学系２５へは入射しない方向へ光を反射することにより、投射光学系２５の方向への反射光の有無で２次元の画像を形成する構成となっている。投射光学系２５は、プリズム、投射レンズ、及び投射レンズを駆動させるための機構等からなる。プロジェクタ１は、カラーホイール２２を通過した各色の光を照射光学系２３によりＤＭＤ２４へ照射し、ＤＭＤ２４は照射された色の光に対応する画像を形成し、画像を形成したＤＭＤ２４からの光を投射光学系２５によって外部へ投射することにより、各色の光の像でなる画像を外部のスクリーン又は壁等に投影する構成となっている。カラーホイール２２の回転に応じて各色の画像が時分割で順に投影され、使用者にはカラー画像として認識される。
【００２２】
またプロジェクタ１は、演算を行うプロセッサ、演算に必要なプログラム等の情報を記憶するＲＯＭ、及び一時的に発生した情報を記憶するＲＡＭ等からなり、プロジェクタ１全体の動作を制御する処理を行う制御回路１１を備えている。またプロジェクタ１は、直流電流を供給する電源回路１３、及び電源回路１３からの電力を定電力に制御して光源２１へ供給するバラスト回路１２を備えている。光源２１は電力線でバラスト回路１２に接続され、バラスト回路１２は電力線で電源回路１３に接続されて信号線で制御回路１１に接続されている。バラスト回路１２は、光源２１の点灯のために必要な高圧パルスを光源２１へ点灯時に印加する機能と、光源２１が定常状態で発光している間は光源２１へ定電力を供給する機能と、光源２１へ供給する電流にパルス電流を重畳する機能とを有している。制御回路１１は、所定のタイミングでバラスト回路１２にパルス電流を発生させる制御を行う。
【００２３】
またプロジェクタ１は、カラーホイール２２に直結されたモータを動作させてカラーホイール２２を駆動し、カラーホイール２２の回転を制御する処理を行うカラーホイール駆動部１５と、光源２１からの白色光がカラーホイール２２のどの部分を通過しているかを表すカラーホイール２２の回転位置を検出する位置センサ１４とを備えている。位置センサ１４は、カラーホイール２２の回転中にカラーホイール２２上の所定の部分が各時点でどの位置にあるか又はどの時点で所定の位置にあったかを光学的に検出することにより、カラーホイール２２の回転位置を検出する。カラーホイール駆動部１５及び位置センサ１４は制御回路１１に接続されており、制御回路１１は、位置センサ１４が検出したカラーホイール２２の回転位置に基づいてカラーホイール駆動部１５の動作を制御する。またＤＭＤ２４には、ＤＭＤ２４に画像を形成させる処理を行うＤＭＤドライバ１６が接続されており、ＤＭＤドライバ１６は制御回路１１に接続されている。また制御回路１１には、パーソナルコンピュータ（ＰＣ）又は映像再生装置等の外部の装置から送信される画像データが入力される入力部１７と、各種の処理指示を使用者の操作により受け付ける受付部１８が接続されている。
【００２４】
次に、以上の如き構成でなるプロジェクタ１の動作を説明する。光源２１が発光している状態で、制御回路１１は、入力部１７に入力された画像データを受け付け、カラーホイール駆動部１５にカラーホイール３４を回転させ、位置センサ１４でカラーホイール２２の回転位置を検出する。光源２１からの白色光は、カラーホイール２２に含まれるいずれかのフィルタを通過し、通過したフィルタに応じた色の光が生成される。また制御回路１１は、位置センサ１４が検出したカラーホイール２２の回転位置に基づいてＤＭＤドライバ１６の動作を制御することにより、各色の光が生成される時点と同期的に、画像データに基づいた各色用の画像をＤＭＤ２４に時分割で形成させる。各色の光が時分割でＤＭＤ２４へ照射され、各色用の画像を形成したＤＭＤ２４で反射された光が投射光学系２５により投射され、各色用の画像が時分割で投影される。このとき、制御回路１１は、バラスト回路１２を制御して、カラーホイール２２の所定の回転位置に応じて光源２１への供給電流にパルス電流を重畳させる処理、及びＤＭＤドライバ１６を制御して、カラーホイール２２の所定の回転位置に応じてＤＭＤ２４を動作させる処理を行うことにより、本発明の光投射方法を実行する。
【００２５】
次に、プロジェクタ１が実行する本発明の光投射方法を説明する。図２は、プロジェクタ１が動作するときのカラーホイール２２を示す模式的正面図である。カラーホイール２２は、赤緑青の色フィルタ及び白色フィルタの４種類のフィルタを回転軸周りに配してなっている。図中には、カラーホイール２２を通過する光のスポットを破線で示す。白色フィルタと緑色フィルタとの境目部分に示した如く、光のスポットは有限の大きさを持っているので、フィルタの境目部分を光源２１からの白色光が通過する場合は、２種類のフィルタを同時に光が通過し、２種類の色の光が同時に生成されることになる。従って、図中に示したフィルタの境目部分を光源２１からの白色光が通過するときは、２種類の色が混色した光が生成されることになる。本発明では、制御回路１１は、白色フィルタの境目部分を除いた部分及び各境目部分を光源２１からの白色光が通過する時点と同期的に、光源２１への供給電流にパルス電流を重畳し、更にＤＭＤ２４に投射光学系２５の方向へ光を反射させる処理を行う。
【００２６】
図３は、各色の光が生成される時点と同期的に、光源２１へ供給する電流とＤＭＤ２４の動作とを制御する内容を示すタイミングチャートである。図中の横軸は時間である。図３（ａ）は、各時点においてＤＭＤ２４に照射される光の色を示し、各時点において光源２１からの光がカラーホイール２２中のいずれの部分を通過しているかに対応する。即ち、赤緑青の色フィルタ及び白色フィルタの境目部分を除いた部分を光源２１からの白色光が通過するときは、赤緑青及び白色の夫々の光が生成されてＤＭＤ２４に照射される。また各フィルタの境目部分を光源２１からの白色光が通過するときは、各色が混色した光が生成されてＤＭＤ２４に照射される。
【００２７】
図３（ｂ）は、光源２１へ供給する電流の時間変化を示す。光源２１からの白色光が白色フィルタを通過して白色光が生成される時点と同期して、パルス電流が光源２１への供給電流に重畳されている。更に、光源２１からの白色光が各フィルタの境目部分を通過して各色が混色した光が生成される時点と同期して、同様にパルス電流が光源２１への供給電流に重畳されている。即ち、制御回路１１は、位置センサ１４が検出したカラーホイール２２の回転位置に基づき、白色フィルタの境目部分を除いた部分及び各境目部分を光源２１からの白色光が通過する時点を求め、求めた時点に同期して、光源２１への供給電流にパルス電流を重畳するようにバラスト回路１２の動作を制御する。バラスト回路１２は、制御回路１１の制御に従って、図３（ｂ）に示す如き電流を光源２１に供給する。パルス電流が重畳されている間は、光源２１に供給される電流が増大するので、光源２１の発光量が増大する。従って、ＤＭＤ２４に時分割で照射される光の内、各色が混色した光及び白色光の光量が増大する。
【００２８】
図３（ｃ）は、各時点におけるＤＭＤ２４の動作状態を示す。赤緑青の色フィルタの境目部分を除いた部分を光源２１からの白色光が通過して赤緑青の各色の光が生成される時点に同期して、制御回路１１は、入力部１７に入力された画像データに基づいて、ＤＭＤドライバ１６の動作を制御してＤＭＤ２４に各色用の画像を形成させる。これにより、赤緑青の各色の画像が時分割で投影される。更に制御回路１１は、白色フィルタの境目部分を除いた部分及び各境目部分を光源２１からの白色光が通過する時点に同期して、ＤＭＤドライバ１６の動作を制御し、ＤＭＤ２４の状態を、ＤＭＤ２４が投射光学系２５の方向へ光を反射させるオン状態にする。従って、光源２１への供給電流にパルス電流を重畳することによって光量が増大した各色が混色した光及び白色光が、オン状態のＤＭＤ２４で反射されて投射光学系２５により外部へ投射される。
【００２９】
以上の制御により、プロジェクタ１が投影する画像に含まれる白色光が増大し、更に、赤緑青及び白色が混色した光が画像に含まれるようになる。画像に含まれる光量が増大することによって画像の明るさが向上し、更に、白色光と共に他の色の光も増大するので、白色と他の色との間の光量差に起因して画像に含まれる白色以外の色がくすんで見えることが抑制される。特に、プロジェクタ１は、赤緑青及び白色が混色した色である黄色、マゼンタ及びシアンの色をより鮮やかにした画像を投影することが可能となる。
【００３０】
図３（ｄ）は、光源２１へ供給する電流の他の制御例を示す。制御回路１１は、光源２１からの白色光が白色フィルタ及び白色フィルタと他のフィルタとの間の境目部分を通過する時点に同期して、光源２１からの白色光が白色フィルタを通過する時間及び白色フィルタと他のフィルタとの間の境目部分を通過する時間を合わせた時間幅のパルス電流を光源２１への供給電流に重畳させる処理を行う。白色光が生成される時点及び各色が混色した光が生成される時点に個別に同期してパルス電流を重畳する図３（ｂ）に示した制御例に比べて、パルス電流を重畳する回数が減少するので、制御がより簡単になる。図３（ｄ）に示した電流を光源２１へ供給する制御を行う場合であっても、プロジェクタ１が投影する画像に含まれる白色光と共に他の色の光も増大するので、プロジェクタ１は画像に含まれる白色以外の色がくすんで見えることを抑制することができる。
【００３１】
図４は、光源２１へ供給する電流とＤＭＤ２４の動作とを制御する他の制御例を示すタイミングチャートである。図中の横軸は時間であり、図４（ａ）は、図３（ａ）と同様に各時点においてＤＭＤ２４に照射される光の色を示す。図４（ｂ）は、光源２１へ供給する電流の時間変化を示す。白色光が生成されるときと、赤及び緑が混色した光が生成されるときとに、パルス電流が光源２１への供給電流に重畳されている。即ち、制御回路１１は、白色フィルタの境目部分を除いた部分と赤の色フィルタ及び緑の色フィルタの境目部分とを光源２１からの白色光が通過する時点に同期して、光源２１への供給電流にパルス電流を重畳するようにバラスト回路１２の動作を制御する。また、制御回路１１は、他の境目部分を光源２１からの白色光が通過するときにはパルス電流は重畳しない。従って、ＤＭＤ２４に時分割で照射される光の内、赤及び緑が混色した光と白色光との光量が増大する。
【００３２】
図４（ｃ）は、各時点におけるＤＭＤ２４の動作状態を示す。赤緑青の色フィルタの境目部分を除いた部分を光源２１からの白色光が通過して赤緑青の各色の光が生成される時点に同期して、制御回路１１は、入力部１７に入力された画像データに基づいて、ＤＭＤドライバ１６の動作を制御してＤＭＤ２４に各色用の画像を形成させる。また制御回路１１は、白色フィルタの境目部分を除いた部分と赤の色フィルタ及び緑の色フィルタの境目部分とを光源２１からの白色光が通過する時点に同期して、ＤＭＤドライバ１６の動作を制御し、ＤＭＤ２４の状態をオン状態にする。更に制御回路１１は、緑の色フィルタ及び白色フィルタの境目部分と、白色フィルタ及び青の色フィルタの境目部分と、青の色フィルタ及び赤の色フィルタの境目部分とを光源２１からの白色光が通過する時点に同期して、ＤＭＤドライバ１６の動作を制御し、ＤＭＤ２４の状態を、投射光学系２５へは入射しない方向へＤＭＤ２４が光を反射するオフ状態にする。従って、光源２１への供給電流にパルス電流を重畳することによって光量が増大した赤及び緑が混色した光と白色光とが投射光学系２５により外部へ投射される。その一方で、緑及び白色が混色した光と、白色及び青が混色した光と、青及び赤が混色した光とは投射されない。
【００３３】
以上の制御により、プロジェクタ１が投影する画像に含まれる白色光が増大し、更に、赤及び緑が混色した光が画像に含まれるようになる。増大した白色光により画像の明るさが向上すると共に、赤及び緑が混色した光、即ち黄色の光が増大するので、画像に含まれる黄色が鮮やかになる。従って、プロジェクタ１は、図４に示す如き制御を実行することにより、黄色をより鮮やかにした画像を投影することが可能となる。
【００３４】
なお、プロジェクタ１は、図４に示した如き特定の色が混色した光のみを増大させる制御を、赤及び緑が混色した光以外の光についても実行できる形態であってもよい。緑及び白色が混色した光と白色及び青が混色した光とを増大させることにより、画像に含まれるシアンの色が鮮やかになり、青及び赤が混色した光を増大させることにより、画像に含まれるマゼンタの色が鮮やかになる。更にプロジェクタ１は、赤及び緑が混色した光と、緑及び白色が混色した光と、白色及び青が混色した光と、青及び赤が混色した光との内、一又は複数の光を任意に選択して増大することができる形態であってもよい。この形態においては、制御回路１１は、使用者の操作により鮮やかにさせる色を指定する指示を受付部１８で受け付け、受け付けた指示に従って、指定された色に対応するカラーホイール２２の境目部分を光源２１からの白色光が通過する時点に同期して、光源２１への供給電流にパルス電流を重畳するようにバラスト回路１２の動作を制御し、ＤＭＤ２４の状態をオン状態にするようにＤＭＤドライバ１６の動作を制御する。このような形態とすることで、プロジェクタ１は、白色光を増大させて画像の明るさを向上させる場合に特にくすんで見えやすい黄色、マゼンタ及びシアンの色を必要に応じてより鮮やかに見せることができるようになる。
【００３５】
以上の本実施の形態においては、カラーホイール２２が赤緑青の３色の色フィルタ及び白色フィルタからなる形態を示したが、本発明のプロジェクタ１は、カラーホイール２２が白色フィルタを含まない３色の色フィルタからなる形態であってもよい。図５は、カラーホイール２２が白色フィルタを含まない３色の色フィルタからなる形態のプロジェクタ１が、光源２１へ供給する電流とＤＭＤ２４の動作とを制御する制御例を示すタイミングチャートである。図中の横軸は時間であり、図５（ａ）は、各時点においてＤＭＤ２４に照射される光の色を示し、各時点において光源２１からの光がカラーホイール２２中のいずれの部分を通過しているかに対応する。即ち、赤緑青の各色フィルタを光源２１からの白色光が通過するときは、赤緑青の夫々の光が時分割で生成されてＤＭＤ２４に照射される。また各色フィルタの境目部分を光源２１からの白色光が通過するときは、赤及び緑が混色した光と、緑及び青が混色した光と、青及び赤が混色した光との夫々が時分割で生成されてＤＭＤ２４に照射される。
【００３６】
図５（ｂ）は、光源２１へ供給する電流の時間変化を示す。各色が混色した光が生成されるときに、パルス電流が光源２１への供給電流に重畳されている。即ち、制御回路１１は、赤の色フィルタ及び緑の色フィルタの境目部分と、緑の色フィルタ及び青の色フィルタの境目部分と、青の色フィルタ及び赤の色フィルタの境目部分とを光源２１からの白色光が通過する時点に同期して、光源２１への供給電流にパルス電流を重畳するようにバラスト回路１２の動作を制御する。従って、ＤＭＤ２４に時分割で照射される赤及び緑が混色した光と、緑及び青が混色した光と、青及び赤が混色した光との光量が増大する。
【００３７】
図５（ｃ）は、図５（ｂ）に示す電流を光源２１に供給する場合に各時点におけるＤＭＤ２４の動作状態を示す。赤緑青の色フィルタの境目部分を除いた部分を光源２１からの白色光が通過して赤緑青の各色の光が生成される時点に同期して、制御回路１１は、入力部１７に入力された画像データに基づいて、ＤＭＤドライバ１６の動作を制御してＤＭＤ２４に各色用の画像を形成させる。また制御回路１１は、赤の色フィルタ及び緑の色フィルタの境目部分と、緑の色フィルタ及び青の色フィルタの境目部分と、青の色フィルタ及び赤の色フィルタの境目部分とを光源２１からの白色光が通過する時点に同期して、ＤＭＤドライバ１６の動作を制御し、ＤＭＤ２４の状態をオン状態にする。従って、光源２１への供給電流にパルス電流を重畳することによって光量が増大した各色が混色した光が投射光学系２５により外部へ投射される。
【００３８】
以上の制御により、プロジェクタ１が投影する画像に含まれる光量が増大するので、画像の明るさが向上する。また赤緑青が互いに混色した光が増大するので、プロジェクタ１は、赤緑青が互いに混色した色である黄色、マゼンタ及びシアンの色をより鮮やかにした画像を投影することが可能となる。
【００３９】
図５（ｄ）及び（ｅ）は、カラーホイール２２が白色フィルタを含まない３色の色フィルタからなる形態のプロジェクタ１が、光源２１へ供給する電流とＤＭＤ２４の動作とを制御する他の制御例を示す。図５（ｄ）は、図５（ａ）に示す色の光が生成されることに応じて光源２１へ供給する電流の時間変化を示す。制御回路１１は、赤の色フィルタ及び緑の色フィルタの境目部分を光源２１からの白色光が通過する時点に同期して、光源２１への供給電流にパルス電流を重畳するようにバラスト回路１２の動作を制御する。また、制御回路１１は、他の境目部分を光源２１からの白色光が通過するときにはパルス電流は重畳しない。従って、ＤＭＤ２４に時分割で照射される赤及び緑が混色した光の光量が増大する。
【００４０】
図５（ｅ）は、図５（ａ）に示す色の光が生成されることに応じた各時点におけるＤＭＤ２４の動作状態を示す。制御回路１１は、赤緑青の夫々の光に対応する画像をＤＭＤ２４に形成させる一方、赤の色フィルタ及び緑の色フィルタの境目部分を光源２１からの白色光が通過する時点に同期して、ＤＭＤドライバ１６の動作を制御し、ＤＭＤ２４の状態をオン状態にする。また制御回路１１は、緑の色フィルタ及び青の色フィルタの境目部分と、青の色フィルタ及び赤の色フィルタの境目部分とを光源２１からの白色光が通過する時点に同期して、ＤＭＤドライバ１６の動作を制御し、ＤＭＤ２４の状態をオフ状態にする。従って、光源２１への供給電流にパルス電流を重畳することによって光量が増大した赤及び緑が混色した光が投射光学系２５により外部へ投射され、緑及び青が混色した光と、青及び赤が混色した光とは投射されない。
【００４１】
以上の制御により、プロジェクタ１が投影する画像に含まれる光量が増大するので、画像の明るさが向上する。また画像に含まれる赤及び緑が混色した光、即ち黄色の光が増大するので、プロジェクタ１は、図５（ａ）、（ｄ）及び（ｅ）に示す如き制御を実行することにより、黄色をより鮮やかにした画像を投影することが可能となる。
【００４２】
なお、プロジェクタ１は、カラーホイール２２が白色フィルタを含まない３色の色フィルタからなる形態の場合でも、赤及び緑が混色した光と、緑及び青が混色した光と、青及び赤が混色した光との内、一又は複数の光を任意に選択して増大することができる形態であってもよい。この形態においては、制御回路１１は、使用者の操作により鮮やかにさせる色を指定する指示を受付部１８で受け付け、受け付けた指示に従って、指定された色に対応するカラーホイール２２の境目部分を光源２１からの白色光が通過する時点に同期して、光源２１への供給電流にパルス電流を重畳するようにバラスト回路１２の動作を制御し、ＤＭＤ２４の状態をオン状態にするようにＤＭＤドライバ１６の動作を制御する。このような形態とすることで、プロジェクタ１は、青緑赤が混色した色である黄色、マゼンタ及びシアンの色を必要に応じてより鮮やかに見せることができるようになる。
【００４３】
なお、図３、図４及び図５を用いて説明した制御例においては、各フィルタの境目部分を光源２１からの白色光が通過する時点に同期して、光源２１への電流にパルス電流を重畳すると共にＤＭＤ２４をオン状態にする制御例を示したが、本発明では、これに限るものではなく、各フィルタの境目部分を光源２１からの白色光が通過する時点に同期してＤＭＤ２４で画像を形成する処理を行ってもよい。例えば、赤及び緑が混色した光を増大させる場合に、制御回路１１は、赤の色フィルタ及び緑の色フィルタの境目部分を光源２１からの白色光が通過する時点に同期して、入力部１７に入力された画像データに基づき、ＤＭＤ２４が赤及び緑の光に対応する画像を同時に形成するようにＤＭＤドライバ１６の動作を制御してもよい。あるいは、制御回路１１は、入力部１７に入力された画像データに基づいて、プロジェクタ１がカラー画像を投影するために時分割で投影されるべき黄色の光の像でなる画像のデータを生成し、生成したデータに基づいてＤＭＤ２４が黄色の光に対応する画像を形成するようにＤＭＤドライバ１６の動作を制御してもよい。このような処理を実行することにより、プロジェクタ１は、画像に含まれる黄色、マゼンタ又はシアンを無闇に増大させることなく、必要な部分で黄色、マゼンタ又はシアンがより鮮やかになった画像を投影することが可能となる。
【００４４】
また以上の本実施の形態においては、カラーホイール２２が色フィルタとして青緑青の３色の色フィルタを含んでいる形態を示したが、これらの３色以外に他の色のフィルタを含んでいる形態であってもよい。例えば、カラーホイール２２は、黄色、マゼンタ又はシアンの補色フィルタを含んでいる形態であってもよい。このような形態であっても、プロジェクタ１は、各フィルタの境目部分を光源２１からの白色光が通過する時点に同期して光量を増大させた光を投射することにより、投影する画像に含まれるいずれかの色をより鮮やかにすることができる。
【００４５】
また本実施の形態においては、プロジェクタ１は、画像を形成する画像デバイスとしてＤＭＤ２４を備えた形態を示したが、これに限るものではなく、画像デバイスとして液晶パネルを用いた形態であってもよい。また本実施の形態においては、光源２１は直流点灯式の放電ランプとし、バラスト回路１２が光源２１へ供給する直流電流にパルス電流を重畳する形態を示したが、これに限るものではなく、プロジェクタ１は、光源２１として、給電回路１から交流電流を供給されて点灯する交流点灯方式の放電ランプを備えた形態であってもよい。この形態においても、プロジェクタ１は、カラーホイール２２に含まれる各フィルタの境目部分を光源２１からの白色光が通過する時点に同期して、交流電流の振幅を増大させるパルス電流を光源２１への交流電流に重畳することにより、本発明を実行することができる。
【００４６】
また本実施の形態においては、本発明のプロジェクタ１は、外部のスクリーン又は壁等へ画像を投影するフロントプロジェクション方式の形態を示したが、これに限るものではなく、図示しない透過型のスクリーンを備え、スクリーンの背面から投射光学系２５で光を投射することによってスクリーンに画像を投影するリアプロジェクション方式の形態であってもよい。
【図面の簡単な説明】
【００４７】
【図１】本発明のプロジェクタの内部構成を示すブロック図である。
【図２】プロジェクタが動作するときのカラーホイールを示す模式的正面図である。
【図３】各色の光が生成される時点と同期的に、光源へ供給する電流とＤＭＤの動作とを制御する内容を示すタイミングチャートである。
【図４】光源へ供給する電流とＤＭＤの動作とを制御する他の制御例を示すタイミングチャートである。
【図５】カラーホイールが白色フィルタを含まない３色の色フィルタからなる形態のプロジェクタが、光源へ供給する電流とＤＭＤの動作とを制御する制御例を示すタイミングチャートである。
【符号の説明】
【００４８】
１    プロジェクタ
１１  制御回路
１２  バラスト回路
１４  位置センサ
２１  光源
２２  カラーホイール
２４  ＤＭＤ
【図１】
2007189650.tif 000003
【図２】
2007189650.tif 000004
【図３】
2007189650.tif 000005
【図４】
2007189650.tif 000006
【図５】
2007189650.tif 000007